(57)【要約】【課題】チャンネルが操作手段で選択されてから映像や音声等が再生されるまでの間のタイムラグを低減させ、ユーザに感じさせる苛立ちを少なくしたディジタル放送受信機を提供する。【解決手段】CATVディジタル放送受信装置１は、装置本体各部を制御する制御部２と、テレビ放送信号を受信するチューナ部３と、テレビ放送信号を復調する第一復調部４と、デジタルデータからAVデータを分離し両データを伸長するデコーダ５と、OSDを映像データの信号に重畳するOSD処理部６と、AVデータの信号をD／A変換するD／A変換部８と、操作部１１と、テレビ放送信号を周波数分離するフィルタ部１２と、フィルタ部１２の出力を復調し制御データを取得する第二復調部１３と、テーブルデータを復元するテーブルデータ取得部１４と、テーブルデータを設定する記憶部１５とを備える。【選択図】  図１
2007006405.tif 000002
【特許請求の範囲】
【請求項１】
チャンネルを選択する操作手段と、
テレビ放送信号を受信し、復調して制御データを取得する制御データ取得手段と、
前記制御データ取得手段が取得した前記制御データに基づき、チャンネルと、該チャンネルのパケットを識別するPIDを取得するための取得情報と、が対応付けて記憶され、テレビ放送信号受信時にこれらが更新記憶されるチャンネルテーブルと、
前記チャンネルテーブルから前記操作手段で選択されたチャンネルの前記取得情報を参照し、前記制御データ取得手段が取得した前記制御データからPIDを取得するPID取得モードを、チャンネルが前記操作手段で選択された時に実行するPID取得手段と、
データを記憶する記憶手段と、
テレビ放送信号を受信し、前記操作手段で選択された前記チャンネルのテレビ放送信号を抽出し、復調してデータを取得し、前記PID取得手段が該チャンネルのPIDを取得した後、該データから該PIDが一致するパケットを抽出して前記記憶手段に記憶させるパケット抽出手段と、を備えたディジタル放送受信装置において、
前記操作手段で選択されたチャンネルと、該チャンネルに対応する前記PID取得手段が取得した前記PIDと、が対応付けて記憶される選択チャンネルテーブルを備え、
前記パケット抽出手段は、前記選択チャンネルテーブルに記憶されているチャンネルが前記操作手段で選択されると、前記PID取得手段がPIDを取得する前から、該選択チャンネルテーブルに記憶されている該選択されたチャンネルに対応するPIDに基づき、前記データから該PIDが一致するパケットを抽出して前記記憶手段に記憶させ、
前記PID取得手段は、前記選択チャンネルテーブルに記憶されているチャンネルが前記操作手段で選択されると、該選択チャンネルテーブルから該選択されたチャンネルに対応するPIDを抽出し、且つ前記PID取得モードを実行してPIDを取得し、両PIDが一致するか否か判定し、両PIDが一致すると判定すると、前記パケット抽出手段に対し前記記憶手段が記憶するデータを読み出すことを許可し、
前記PID取得手段は、両PIDが一致しないと判定すると、前記PID取得モードを実行して取得したPIDに基づき、前記パケット抽出手段に前記データから該PIDが一致するパケットを抽出して前記記憶手段に記憶させ、前記記憶手段が記憶するデータを読み出させ、
前記PID取得手段は、チャンネルが前記操作手段で選択されると、前記チャンネルテーブルから該チャンネルと前記テレビ放送信号の復調周波数が同一のチャンネルの前記取得情報を参照し、前記制御データ取得手段が取得した前記制御データからPIDをそれぞれ取得し、
前記選択チャンネルテーブルは、前記操作手段で選択されたチャンネルと前記テレビ放送信号の復調周波数が同一のチャンネルと、該同一のチャンネルに対応する前記PID取得手段が取得した前記PIDと、がそれぞれ対応付けて記憶されるディジタル放送受信装置。
【請求項２】
チャンネルを選択する操作手段と、
テレビ放送信号を受信し、復調して制御データを取得する制御データ取得手段と、
前記制御データ取得手段が取得した前記制御データに基づき、チャンネルと、該チャンネルのパケットを識別するPIDを取得するための取得情報と、が対応付けて記憶され、テレビ放送信号受信時にこれらが更新記憶されるチャンネルテーブルと、
前記チャンネルテーブルから前記操作手段で選択されたチャンネルの前記取得情報を参照し、前記制御データ取得手段が取得した前記制御データからPIDを取得するPID取得モードを、チャンネルが前記操作手段で選択された時に実行するPID取得手段と、
データを記憶する記憶手段と、
テレビ放送信号を受信し、前記操作手段で選択された前記チャンネルのテレビ放送信号を抽出し、復調してデータを取得し、前記PID取得手段が該チャンネルのPIDを取得した後、該データから該PIDが一致するパケットを抽出して前記記憶手段に記憶させるパケット抽出手段と、を備えたディジタル放送受信装置において、
前記操作手段で選択されたチャンネルと、該チャンネルに対応する前記PID取得手段が取得した前記PIDと、が対応付けて記憶される選択チャンネルテーブルを備え、
前記パケット抽出手段は、前記選択チャンネルテーブルに記憶されているチャンネルが前記操作手段で選択されると、前記PID取得手段がPIDを取得する前から、該選択チャンネルテーブルに記憶されている該選択されたチャンネルに対応するPIDに基づき、前記データから該PIDが一致するパケットを抽出して前記記憶手段に記憶させ、
前記PID取得手段は、前記選択チャンネルテーブルに記憶されているチャンネルが前記操作手段で選択されると、該選択チャンネルテーブルから該選択されたチャンネルに対応するPIDを抽出し、且つ前記PID取得モードを実行してPIDを取得し、両PIDが一致するか否か判定し、両PIDが一致すると判定すると、前記パケット抽出手段に対し前記記憶手段が記憶するデータを読み出すことを許可するディジタル放送受信装置。
【請求項３】
前記PID取得手段は、両PIDが一致しないと判定すると、前記PID取得モードを実行して取得したPIDに基づき、前記パケット抽出手段に前記データから該PIDが一致するパケットを抽出して前記記憶手段に記憶させ、前記記憶手段が記憶するデータを読み出させる請求項２記載のディジタル放送受信装置。
【請求項４】
前記PID取得手段は、チャンネルが前記操作手段で選択されると、前記チャンネルテーブルから該チャンネルと前記テレビ放送信号の復調周波数が同一のチャンネルの前記取得情報を参照し、前記制御データ取得手段が取得した前記制御データからPIDをそれぞれ取得し、
前記選択チャンネルテーブルは、前記操作手段で選択されたチャンネルと前記テレビ放送信号の復調周波数が同一のチャンネルと、該同一のチャンネルに対応する前記PID取得手段が取得した前記PIDと、がそれぞれ対応付けて記憶される請求項２又は３に記載のディジタル放送受信装置。
【発明の詳細な説明】
【技術分野】
【０００１】
本発明は、予め設定している物理チャンネルと、放送番組（論理チャンネル）との関係を示す、いわゆる、チャンネルテーブルを参照して対応する物理チャンネルを見つける、CATVディジタル放送受信装置などのディジタル放送受信装置に関するものである。
【背景技術】
【０００２】
従来、TVでは、テレビ放送信号を伝送し、ＴＶ局から各家庭に伝送された放送番組をユーザが自由に選択して視聴できるようになっている。さらに、近年、ディジタル圧縮符号化技術を利用して、映像信号等の圧縮、多重化伝送等を行うことにより、限られた周波数帯で多数の番組を効率的に伝送できるディジタル放送が注目されている。
【０００３】
以下、ディジタル放送を代表して、CATVのディジタル放送を対象に説明する。CATVのディジタル放送においては、実際のCATVの周波数帯域に割り当てられたチャンネル（物理チャンネル）１チャンネル毎に、例えば、日本では、最大４つの放送チャンネル（論理チャンネル）を伝送しているため、物理チャンネル番号と、論理チャンネル番号とは一致しない。例えば、日本では、９３〜７６７MHz のCATVの周波数帯域の中に、周波数帯域幅が６MHz のチャンネル（物理チャンネル）を合計１１３設けるようにしている。そして、各チャンネル当たり番組数は最大で、例えば、４つの番組とし、全体で、最大４５２の番組を伝送できるようにしている。従って、チャンネル（物理チャンネル）と、放送番組（論理チャンネル）とは、１対１に対応しないため、チャンネルを決めても放送番組が決まる十分条件とはならない。
【０００４】
実際の利用方法においては、ユーザがCATVの番組表を見て、希望の放送番組を伝送している論理チャンネルを調べ、その論理チャンネルをリモコン等でCATV（CableTelevision）ディジタル放送受信装置に指示する。すると、CATVディジタル放送受信装置は、予め設定している物理チャンネルと、放送番組（論理チャンネル）との関係を示す、いわゆる、チャンネルテーブルを参照して対応する物理チャンネルを見つける。そして、CATVディジタル放送受信装置は、見つけた該物理チャンネルを基にチューナを制御して選択し、ディジタル復調し、指示された放送番組を抽出して、映像や音声を復元して表示する。つまり、CATVディジタル放送受信装置は、チャンネルテーブルを参照する動作が不可欠である。
【０００５】
このチャンネルテーブルに記述されているデータ（チャンネルテーブルデータ）は、随時CATV局から伝送されてくる制御データに含まれるデータであり、物理チャンネルと論理チャンネルとの関係の他、該論理チャンネルの映像／音声データなどが格納されたパケットを識別するPID（パケット識別子）を取得するための取得情報などのデータが含まれる。取得情報は、例えば、PMT＿IDである。PMT＿IDは、PMT（Program  Map  Table）データが格納されるパケットのPIDである。
【０００６】
PMTデータは、随時CATV局から伝送されてくる制御データに含まれるデータであり、論理チャンネルの映像／音声データなどが格納されたパケットを識別するPID（パケット識別子）が記述されており、ヘッダにはPMT＿IDが記述されている。
【０００７】
また、実際の構成については、上記CATVディジタル放送受信装置は、データを記憶する記憶手段と、パケット抽出手段と、装置本体を制御する制御手段と、リモコン等の操作手段と、を備える。
【０００８】
上記制御手段は、論理チャンネルが上記操作手段で選択された時、取得情報を参照し制御データからPIDを取得するPID取得モードを実行していた。制御データは、例えば、PSI（Program  Specification  Information）／SI（Service  Information）である。
【０００９】
上記パケット抽出手段は、テレビ放送信号を受信し、前記操作手段で選択された上記論理チャンネルのテレビ放送信号を抽出し、復調してディジタルデータであるトランスポートストリームを取得する。そして、上記パケット抽出手段は、前記制御手段が上記論理チャンネルのPIDを取得した後、該トランスポートストリームから該PIDが一致するパケットを抽出して記憶手段に記憶させるとともに、適宜読み出し、映像／音声データがテレビ受像機等で再生されていた。
【００１０】
一方、特許文献１に記載されたようなCATVディジタル放送受信装置が提案されている。
【００１１】
このCATVディジタル放送受信装置は、データを記憶する記憶手段と、パケット抽出手段と、装置本体を制御する制御手段と、リモコン等の操作手段と、を備える。
【特許文献１】特開２００２−２４７５４３公報
【発明の開示】
【発明が解決しようとする課題】
【００１２】
しかしながら、上記CATVディジタル放送受信装置では、論理チャンネルが操作手段で選択され、PID取得モードを実行してPIDを取得した後に、トランスポートストリームから該PIDが一致するパケットを抽出してバッファしていたため、論理チャンネルが操作手段で選択されてから映像や音声等が表示されるまでの間に、大きなタイムラグが生じる。
【００１３】
よって、この間は、操作手段で選択された論理チャンネルの映像や音声等がテレビ受像機等に再生されることがなく、ユーザに苛立ちを感じさせていた。
【００１４】
また、特許文献１においても、論理チャンネルがリモコン等の操作手段で選択されてからPID取得モードを実行している。従って、上記と同様、ユーザに苛立ちを感じさせる。
【００１５】
本発明はこのような従来の課題を解決しようとするものであり、チャンネルが操作手段で選択されてから映像や音声等が再生されるまでの間のタイムラグを低減させ、ユーザに感じさせる苛立ちを少なくしたディジタル放送受信機を提供することを目的とする。
【課題を解決するための手段】
【００１６】
本発明のディジタル放送受信機は、前記課題を解決するために以下の構成を備えている。
（１）チャンネルを選択する操作手段と、
テレビ放送信号を受信し、復調して制御データを取得する制御データ取得手段と、
前記制御データ取得手段が取得した前記制御データに基づき、チャンネルと、該チャンネルのパケットを識別するPIDを取得するための取得情報と、が対応付けて記憶され、テレビ放送信号受信時にこれらが更新記憶されるチャンネルテーブルと、
前記チャンネルテーブルから前記操作手段で選択されたチャンネルの前記取得情報を参照し、前記制御データ取得手段が取得した前記制御データからPIDを取得するPID取得モードを、チャンネルが前記操作手段で選択された時に実行するPID取得手段と、
データを記憶する記憶手段と、
テレビ放送信号を受信し、前記操作手段で選択された前記チャンネルのテレビ放送信号を抽出し、復調してデータを取得し、前記PID取得手段が該チャンネルのPIDを取得した後、該データから該PIDが一致するパケットを抽出して前記記憶手段に記憶させるパケット抽出手段と、を備えたディジタル放送受信装置において、
前記操作手段で選択されたチャンネルと、該チャンネルに対応する前記PID取得手段が取得した前記PIDと、が対応付けて記憶される選択チャンネルテーブルを備え、
前記パケット抽出手段は、前記選択チャンネルテーブルに記憶されているチャンネルが前記操作手段で選択されると、前記PID取得手段がPIDを取得する前から、該選択チャンネルテーブルに記憶されている該選択されたチャンネルに対応するPIDに基づき、前記データから該PIDが一致するパケットを抽出して前記記憶手段に記憶させ、
前記PID取得手段は、前記選択チャンネルテーブルに記憶されているチャンネルが前記操作手段で選択されると、該選択チャンネルテーブルから該選択されたチャンネルに対応するPIDを抽出し、且つ前記PID取得モードを実行してPIDを取得し、両PIDが一致するか否か判定し、両PIDが一致すると判定すると、前記パケット抽出手段に対し前記記憶手段が記憶するデータを読み出すことを許可する。
【００１７】
この構成において、ディジタル放送受信装置は、例えばCATVディジタル放送受信装置、又はディジタルTV受像機である。制御データは、例えばPSI（Program  Specification  Information）／SI（Service  Information）である。PIDは、パケット識別子である。取得情報は、例えば、PMT＿IDである。PMT＿IDは、PMT（Program  Map  Table）に記述されるデータが格納されるパケットのPIDである。PMTには、論理チャンネルの映像／音声データなどが格納されたパケットを識別するPIDが記述される。
【００１８】
また、PID取得手段は、チャンネルが操作手段で選択された時、チャンネルテーブルから該操作手段で選択された該チャンネルの
取得情報を参照し、制御データ取得手段が取得した制御データからPIDを取得する。
【００１９】
すると、選択チャンネルテーブルには、ユーザが操作手段で選択したチャンネルと、該チャンネルに対応する上記PID取得手段が取得したPIDと、が対応付けて記憶される。
【００２０】
また、パケット抽出手段は、PID取得手段から許可が得られるまで、記憶手段が記憶するデータを読み出さない。そして、パケット抽出手段は、許可が得られると、記憶手段が記憶するデータを適宜読み出し、映像／音声データがテレビ受像機等で再生される。
【００２１】
以上より、チャンネルが操作手段で選択されてから映像や音声等が再生されるまでの間のタイムラグを低減させ、ユーザに感じさせる苛立ちを少なくすることができる。
（２）前記PID取得手段は、両PIDが一致しないと判定すると、前記PID取得モードを実行して取得したPIDに基づき、前記パケット抽出手段に前記データから該PIDが一致するパケットを抽出して前記記憶手段に記憶させ、前記記憶手段が記憶するデータを読み出させる。
【００２２】
この構成おいて、前記PID取得手段は、前記パケット抽出手段に対し、前記PID取得モードを実行して取得したPIDを指定する。つまり、PIDを再指定する。
【００２３】
また、PID取得手段は、PIDを再指定すると、選択チャンネルテーブルに記憶されている該選択されたチャンネルに対応するPIDの代わりに再指定したPIDを選択チャンネルテーブルに更新記録してもよい。
（３）前記PID取得手段は、チャンネルが前記操作手段で選択されると、前記チャンネルテーブルから該チャンネルと前記テレビ放送信号の復調周波数が同一のチャンネルの前記取得情報を参照し、前記制御データ取得手段が取得した前記制御データからPIDをそれぞれ取得し、
前記選択チャンネルテーブルは、前記操作手段で選択されたチャンネルと前記テレビ放送信号の復調周波数が同一のチャンネルと、該同一のチャンネルに対
応する前記PID取得手段が取得した前記PIDと、がそれぞれ対応付けて記憶される。
【００２４】
上記（１）では、ユーザが操作手段で選択したチャンネルと、該チャンネルに対応するPIDと、のみが選択チャンネルテーブルに記憶されていた。一方、ここでは、ユーザが操作手段で選択したチャンネルだけでなく、該チャンネルと復調周波数が同一のチャンネルと、該同一のチャンネルに対応するPIDと、も選択チャンネルテーブルに記憶される。
【００２５】
以上より、ユーザが操作手段で選択したチャンネルのPID以外にも、多くのチャンネルのPIDを選択チャンネルテーブルに記憶させることができる。従って、多くのチャンネルで、該チャンネルが操作手段で選択されてから映像や音声等が再生されるまでの間のタイムラグを低減させ、ユーザに感じさせる苛立ちを少なくすることができる。
【発明の効果】
【００２６】
この発明によれば、多くのチャンネルで、該チャンネルが操作手段で選択されてから映像や音声等が再生されるまでの間のタイムラグを低減させ、ユーザに感じさせる苛立ちを少なくすることができる。
【発明を実施するための最良の形態】
【００２７】
以下、本発明の実施形態であるCATVディジタル放送受信装置について説明する。
【００２８】
図１は、本発明の実施形態であるCATVディジタル放送受信装置の主要な構成を示すブロック図である。
【００２９】
CATVディジタル放送受信装置１は、装置本体１各部を制御する制御部２と、テレビ放送信号を受信するチューナ部３と、受信したテレビ放送信号をディジタルデータに復調する第一復調部４と、復調したディジタルデータから映像データと音声データとを分離し、両データを伸長するデコーダ５と、該ディジタルデータを一時的に保持するバッファメモリ９と、所望のOSDを映像データの信号に重畳するOSD処理部６と、所望のOSDを記憶するOSD画像メモリ７と、映像データと音声データとの信号をアナログの信号に変換するD／A変換部８と、操作手段である操作部１１と、テレビ放送信号を周波数分離するフィルタ部１２と、フィルタ部１２の出力をディジタルデータに復調し、誤り訂正を行って制御データを取得する第二復調部１３と、取得した制御データからチャンネルテーブルデータを復元するテーブルデータ取得部１４と、復元されたチャンネルテーブルデータを設定しておく記憶部１５と、を備える。
【００３０】
制御部２は、例えばマイクロコンピュータで構成される。
【００３１】
操作部１１に対し、電源のON／OFF、チャンネル（以下、「チャンネル」と単に述べるときは、「論理チャンネル」のことを指す。）の切り替え、音量の調整等の命令（コマンド）が入力されると、操作部１１は、該命令を制御部２に伝送する。操作部１１は、リモコン装置を含む。
【００３２】
チューナ部３は、CATV局から伝送されてきたテレビ放送信号から、制御部２により選択されているチャンネルのテレビ放送信号を抽出し、出力する。
【００３３】
第一復調部４は、チューナ部３から出力されたテレビ放送信号をディジタルデータであるトランスポートストリームに復調し、出力する。
【００３４】
図２は、トランスポートストリームのデータ構造を示す図である。
【００３５】
トランスポートストリーム（TS）とは、TSパケット（１８８バイト固定長）が連続した信号列であり、図２に示すように、複数の番組が多重化されている。TSパケットのヘッダ（４バイト固定長）には、該TSパケットの種類を示すパケット識別子（PID）が含まれている。このPIDにより、TSの中に混在していても、そのTSパケットが映像か音声かなどの種類を識別することができる。
【００３６】
デコーダ５は、制御部２が指定したPIDに基づき、第一復調部４の出力であるトランスポートストリームから該PIDが一致するパケットを抽出し、抽出したパケットに格納されているデータをバッファメモリ９に記憶させる。
【００３７】
そして、デコーダ５は、制御部２からの指示又は許可を受けてから、バッファメモリ９が記憶するデータを適宜読み出す。そして、読み出したデータから映像データと音声データとを分離し、両データを伸長し、出力する。チューナ部３から出力されるテレビ放送信号は、例えばMPEG２で圧縮された信号である。
【００３８】
デコーダ５から出力された映像データの信号は、OSD処理部６を介して、D／A変換部８に入力される。
【００３９】
OSD処理部６は、制御部２から与えられる制御信号に基づいて、映像データの信号に、OSD画像メモリ７が記憶している文字又は図形を重畳する。
【００４０】
D／A変換部８は、デコーダ５が出力した映像データの信号をアナログの映像信号に変換し、外部（テレビジョン等）に出力する。
【００４１】
また、D／A変換部８は、デコーダ５が出力した音声データの信号をアナログの音声信号に変換し、外部（テレビジョン等）に出力する。
【００４２】
なお、この実施形態ではD／A変換部８を設けているが、外部にディジタル信号対応のテレビジョンを接続する場合は、D／A変換部８を設ける必要はない。
【００４３】
一方、フィルタ部１２は、CATV局から伝送されてきたテレビ放送信号を周波数分離し、出力する。
【００４４】
第二復調部１３は、フィルタ部１２の出力をディジタルデータに復調し、誤り訂正を行って制御データを取得し、出力する。該制御データとは、PSI（Program  Specification  Information）／SI（Service  Information）である。
【００４５】
テーブルデータ取得部１４は、第二復調部１３が取得した上記制御データからチャンネルテーブルデータを取得し、出力する。
【００４６】
このチャンネルテーブルデータは、随時CATV局から伝送されてくる制御データに含まれるデータであり、物理チャンネルと論理チャンネルとの関係の他、該論理チャンネルの映像／音声データなどが格納されたパケットを識別するPID（パケット識別子）を取得するための取得情報などのデータが含まれる。取得情報は、例えば、PMT＿IDである。PMT＿IDは、PMT（Program  Map  Table）データが格納されるパケットのPIDである。
【００４７】
一方、PMTデータは、随時CATV局から伝送されてくる制御データに含まれるデータであり、論理チャンネルの映像／音声データなどが格納されたパケットを識別するPID（パケット識別子）が記述されており、ヘッダにはPMT＿IDが記述されている。
【００４８】
記憶部１５は、例えばEEPROMで構成される。
【００４９】
記憶部１５は、３つのパーティションに区切られており、VCT（virtual  channel  table）２１、PMT２２及び選択チャンネルテーブル２３から構成される。VCT２１には、テーブルデータ取得部１４が出力したチャンネルテーブルデータが設定される。
【００５０】
なお、VCTには、汎用のSVCT（Short  Form   virtual  channel  table）と、拡張用のLVCT（Long  Form   virtual  channel  table）との２つの形式があるが、この実施形態では、前者の形式を採用し、さらに、主要な部分以外を省略して説明している。
【００５１】
図３は、VCT２１、PMT２２及び選択チャンネルテーブル２３に記憶されている内容を示す図である。図３の（A）は、VCT２１に記憶されている内容を示す図であり、（B）は、映像及び音声のPIDが変更される前におけるPMT２２に記憶されている内容を示す図であり、（C）は、映像及び音声のPIDが変更された後におけるPMT２２に記憶されている内容を示す図である。また、（D）は、映像及び音声のPIDが更新される前における選択チャンネルテーブル２３に記憶されている内容を示す図であり、（E）は、映像及び音声のPIDが更新された後における選択チャンネルテーブル２３に記憶されている内容を示す図である。
【００５２】
VCT２１には、図３の（A）に示すように、チャンネルテーブルデータ（制御データ）に基づいて、論理チャンネルと該チャンネルのPMT＿PIDとが対応付けて記憶されている。VCT２１には、論理チャンネルと復調周波数との関係も記憶されている。
【００５３】
制御部２は、チャンネルが操作部１１で選択された時、VCT２１から該操作部１１で選択された該チャンネルのPMT＿PIDを参照し、第二復調部１３が取得した制御データからPMT＿PIDが一致するPMTデータを格納しているパケットを抽出し、該PMTデータからPIDを取得する。そして、制御部２は、該PMTデータをPMT２２に記録する。
【００５４】
すると、PMT２２には、図３の（B）に示すように、論理チャンネルの映像／音声データが格納されたパケットを識別するPIDが記憶される。
【００５５】
また、選択チャンネルテーブル２３には、図３の（D）に示すように、ユーザが操作部１１で選択したチャンネルと、該チャンネルに対応する制御部２が取得した上記PIDと、が制御部２によって対応付けて記憶される。該チャンネルに対応する復調周波数も記憶される。
【００５６】
なお、図３の（C）（E）については、後述の図４のｓ１１において説明する。
【００５７】
ここで、VCT２１が、本発明の「チャンネルテーブル」に相当する。選択チャンネルテーブル２３が本発明の「選択チャンネルテーブル」に相当する。記憶部１５が、本発明の「チャンネルテーブル」及び「選択チャンネルテーブル」に相当する。チューナ部３、第一復調部４、及びデコーダ５が本発明の「パケット抽出手段」である。バッファメモリ９が本発明の「記憶手段」である。フィルタ部１２及び第二復調部１３が、本発明の「制御データ取得手段」に相当する。制御部２が、本発明の「PID取得手段」に相当する。
【００５８】
図４は、本発明の実施形態であるCATVディジタル放送受信装置において制御部が行う動作を示すフローチャートである。この動作は、ユーザが操作部１１でチャンネルを選択された時の動作である。
【００５９】
チャンネルが操作部１１で選択されると、制御部２は、該選択されたチャンネルが選択チャンネルテーブル２３に記憶されているチャンネルか否か判定する（ｓ１）。
【００６０】
選択されたチャンネルが選択チャンネルテーブル２３に記憶されているチャンネルでないと判定すると、制御部２は、PID取得モードを実行する（ｓ２）。該PID取得モードは、制御部２がVCT２１から操作部１１で該選択されたチャンネルのPMT＿PIDを参照し、第二復調部１３が取得した制御データからPMT＿PIDが一致するPMTデータを格納しているパケットを抽出し、該PMTデータからPIDを取得するモードである。
【００６１】
そして、制御部２は、取得した該PIDをデコーダ５に指定する（ｓ３）。併せて、選択されているチャンネルの復調周波数をチューナ部３や第一復調部４に指示する（ｓ４）。
【００６２】
これにより、デコーダ５は、制御部２が指定したPIDに基づき、第一復調部４の出力であるトランスポートストリームから該PIDが一致するパケットを抽出し、抽出したパケットに格納されているデータをバッファメモリ９に記憶させる。
【００６３】
制御部２は、図３の（D）に示すように、ユーザが操作部１１で選択したチャンネルと、該チャンネルに対応する制御部２が取得した上記PIDと、を対応付けて選択チャンネルテーブル２３に記録する（ｓ５）。併せて、該チャンネルに対応する復調周波数も記録する。
【００６４】
制御部２は、バッファメモリ９に一定のデータが溜まるのを待って（ｓ１２）、デコーダ５に対しバッファメモリ９が記憶するデータを読み出すことを許可し（ｓ１３）、本処理を終了する。
【００６５】
すると、デコーダ５は、バッファメモリ９が記憶するデータを適宜読み出す。そして、読み出したデータから映像データと音声データとを分離し、両データを伸長し、出力する。
【００６６】
以上により、映像／音声データがテレビ受像機等で再生される。
【００６７】
なお、ｓ２〜ｓ４、ｓ１２、及びｓ１３は、従来のCATVディジタル放送受信装置でも行われている処理である。
【００６８】
しかし、論理チャンネルが操作部１１で選択され、PID取得モードを実行してPIDを取得した後に、トランスポートストリームから該PIDが一致するパケットを抽出してバッファするため、論理チャンネルが操作部１１で選択されてから映像や音声等が再生されるまでの間に、大きなタイムラグが生じる。
【００６９】
よって、この間は、操作部１１で選択された論理チャンネルの映像や音声等がテレビ受像機等に再生されることがなく、ユーザに苛立ちを感じさせていた。
【００７０】
そこで、上記ｓ５において選択チャンネルテーブル２３に記録した内容を利用し、上記タイムラグを低減させ、ユーザに感じさせる苛立ちを少なくする。
【００７１】
まず、ｓ１において、選択チャンネルテーブル２３に記憶されているチャンネルが操作部１１で選択されると、制御部２は、選択チャンネルテーブル２３から、該選択されたチャンネルに対応するPIDを抽出し、該PIDをデコーダ５に指定する（ｓ６）。併せて、選択されているチャンネルの復調周波数をチューナ部３や第一復調部４に指示する（ｓ７）。
【００７２】
例えば、操作部１１で１０１CHが選択されると、映像データが格納されているパケットのPID（映像＿PID）である０ｘ００１４と、音声データが格納されているパケットのPID（音声＿PID）である０ｘ００１２と、をデコーダ５に指定する。併せて、制御部２は、復調周波数が１１４MHｚであることをチューナ部３や第一復調部４に指示する。
【００７３】
ｓ６及びｓ７により、デコーダ５は、制御部２がPIDを取得する（後述のｓ８参照）前から、該PIDに基づき、トランスポートストリームから該PIDが一致するパケットを抽出し、抽出したパケットに格納されているデータをバッファメモリ９に記憶させる。
【００７４】
制御部２は、PID取得モードを実行し（ｓ８）、PIDを取得する。この処理の間にも、デコーダ５は、データをバッファメモリ９に記憶させている。
【００７５】
制御部２は、ｓ６において選択チャンネルテーブル２３から抽出したPIDと、ｓ８において取得したPIDと、が一致するか否か判定する（ｓ９）。
【００７６】
例えば、ｓ６において選択チャンネルテーブル２３から抽出したPIDが、映像＿PID＝０ｘ００１４で、音声＿PID＝０ｘ００１２である場合であって（図３（D）参照）、ｓ８において取得したPIDが映像＿PID＝０ｘ００１４で、音声＿PID＝０ｘ００１２である場合（図３（B）参照）、制御部２は、両PIDが一致していると判定する。
【００７７】
逆に、ｓ６において選択チャンネルテーブル２３から抽出したPIDが、映像＿PID＝０ｘ００１４で、音声＿PID＝０ｘ００１２である場合であって（図３（D）参照）、ｓ８において取得したPIDが映像＿PID＝０ｘ００１３で、音声＿PID＝０ｘ００１０である場合（図３（C）参照）、制御部２は、両PIDが一致していないと判定する。両PIDが一致しない場合とは、放送局側の都合などにより、選択チャンネルテーブル２３に以前記録したPIDに変更があった場合を想定している。
【００７８】
両PIDが一致すると判定すると、制御部２は、バッファメモリ９に一定のデータが溜まるのを待って（ｓ１２）、デコーダ５に対しバッファメモリ９が記憶するデータを読み出すことを許可し（ｓ１３）、本処理を終了する。これにより、デコーダ５は、上記と同様、バッファメモリ９が記憶するデータを適宜読み出すため、映像／音声データがテレビ受像機等で再生される。
【００７９】
ｓ１２では、制御部２がｓ８の処理及びｓ９の判定を行っている間にもデコーダ５がデータをバッファメモリ９に記憶させていることから、ｓ９の判定肯定後まもなく映像／音声データがテレビ受像機等で再生される。これは、PID取得モードを実行してPIDを取得した後にトランスポートストリームから該PIDが一致するパケットを抽出してバッファする従来のCATVディジタル放送受信装置と比し、チャンネルが操作部１１で選択されてから映像や音声等が再生されるまでの間のタイムラグが低減している。
【００８０】
以上より、チャンネルが操作部１１で選択されてから映像等が表示されるまでの間のタイムラグを低減させ、ユーザに感じさせる苛立ちを少なくすることができる。
【００８１】
一方、ｓ９において、両PIDが一致していないと判定すると、制御部２は、ｓ８において取得したPIDをデコーダ５に指定する（ｓ１０）。つまり、PIDをデコーダ５に再指定する。
【００８２】
続いて、制御部２は、ｓ８において取得したPIDで選択チャンネルテーブル２３を更新記録する（ｓ１１）。例えば、ｓ６において選択チャンネルテーブル２３から抽出したPIDが、映像＿PID＝０ｘ００１４で、音声＿PID＝０ｘ００１２である場合であって（図３（D）参照）、ｓ８において取得したPIDが映像＿PID＝０ｘ００１３で、音声＿PID＝０ｘ００１０である場合（図３（C）参照）、制御部２は、映像＿PID＝０ｘ００１３で、音声＿PID＝０ｘ００１０で選択チャンネルテーブル２３を更新記録する（図３（E）参照）。
【００８３】
そして、制御部２は、バッファメモリ９に一定のデータが溜まるのを待って（ｓ１２）、デコーダ５に対しバッファメモリ９が記憶するデータを読み出すことを許可し（ｓ１３）、本処理を終了する。
【００８４】
これにより、デコーダ５は、上記と同様、バッファメモリ９が記憶するデータを適宜読み出すため、映像／音声データがテレビ受像機等で再生される。
【００８５】
なお、この実施形態では、ｓ５において、ユーザが操作部１１で選択したチャンネルと、該チャンネルに対応するPIDと、のみを選択チャンネルテーブル２３に記憶させていたが、ユーザが操作部１１で選択したチャンネルだけでなく、該選択したチャンネルと復調周波数が同一のチャンネルと、該同一のチャンネルに対応するPIDと、をも選択チャンネルテーブル２３に記憶させても良い。これを達成するため、ｓ２において、制御部２に、VCT２１から選択されたチャンネルとテレビ放送信号の復調周波数が同一のチャンネルのPMT＿PIDを参照させ、第二復調部１３が取得した制御データからPMT＿PIDが一致するPMTデータを格納しているパケットを抽出させ、該PMTデータからPIDをそれぞれ取得させておく。
【００８６】
すると、ユーザが操作部１１でチャンネルを１つ選択するだけで、選択チャンネルテーブル２３には、該選択されたチャンネルとテレビ放送信号の復調周波数が同一のチャンネルと、該同一のチャンネルに対応する制御部２が取得したPIDと、がそれぞれ対応付けて記憶される。
【００８７】
以上より、ユーザが操作部１１で選択したチャンネルのPID以外にも、多くのチャンネルのPIDを選択チャンネルテーブル２３に記憶させることができる。従って、多くのチャンネルで、該チャンネルが操作部１１で選択されてから映像や音声等が再生されるまでの間のタイムラグを低減させ、ユーザに感じさせる苛立ちを少なくすることができる。
【００８８】
以下、本発明の他の実施形態であるディジタルTVについて説明する。
【００８９】
図５は、本発明の他の実施形態であるディジタルTVの主要な構成を示すブロック図である。
【００９０】
ディジタルテレビジョン（TV）１０１は、図１のCATVディジタル放送受信装置１と比し、フィルタ部１２及び第二復調部１３を用いない構成であり、D／A変換部８によりアナログ変換された映像信号を処理して映像を表示する表示部３２と、D／A変換部８によりアナログ変換された音声信号を処理して音声を発声するスピーカ３１と、を備え、その他の構成については図１のCATVディジタル放送受信装置１と同様である。
【００９１】
一方、動作については、ディジタルTV１０１は、図１のCATVディジタル放送受信装置１と同様である。
【００９２】
制御データ及びチャンネルテーブルデータの取得方法が図１のCATVディジタル放送受信装置１と異なるため、以下説明する。
【００９３】
チューナ部３は、アンテナ３０で受信しているテレビ放送信号から制御部２により選択されているチャンネルのテレビ放送信号を抽出し、出力する。
【００９４】
第一復調部４は、チューナ部３から出力されたテレビ放送信号をディジタルデータであるトランスポートストリームに復調し、出力する。
【００９５】
デコーダ５は、復調訂正部４から出力された映像信号と音声信号と制御データとを分離抽出し、該制御データをテーブルデータ取得部１４に伝送する。
【００９６】
テーブルデータ取得部１４は、デコーダ５が取得した上記制御データからチャンネルテーブルデータを取得し、出力する。
【００９７】
このようにして取得された制御データ及びチャンネルテーブルデータが、図１のCATVディジタル放送受信装置１と同様に、VCT２１、及びPMT２２に記憶される。
【００９８】
なお、図１のCATVディジタル放送受信装置１では、チャンネルテーブルデータには全論理チャンネル分の情報が記述されているが、ディジタルTVの場合は、チャンネルテーブルデータには選択された物理チャンネルに存在する論理チャンネル分の情報が記述されている。
【００９９】
ここで、VCT２１が、本発明の「チャンネルテーブル」に相当する。お気に入りチャンネルテーブル２２が本発明の「指定チャンネルテーブル」に相当する。記憶部１５が、本発明の「チャンネルテーブル」及び「指定チャンネルテーブル」に相当する。チューナ部３、第一復調部４、及びデコーダ５が本発明の「パケット抽出手段」「制御データ取得手段」である。バッファメモリ９が本発明の「記憶手段」である。制御部２が、本発明の「PID取得手段」に相当する。
【図面の簡単な説明】
【０１００】
【図１】本発明の実施形態であるCATVディジタル放送受信装置の主要な構成を示すブロック図
【図２】トランスポートストリームのデータ構造を示す図
【図３】VCT２１、PMT２２及び選択チャンネルテーブル２３に記憶されている内容を示す図
【図４】本発明の実施形態であるCATVディジタル放送受信装置において制御部が行う動作を示すフローチャート
【図５】本発明の他の実施形態であるディジタルTVの主要な構成を示すブロック図
【符号の説明】
【０１０１】
１−CATVディジタル放送受信装置
２−制御部
３−チューナ部
４−第一復調部
５−デコーダ
６−OSD処理部
７−OSD画像メモリ
８−D／A変換部
９−バッファメモリ
１１−操作部
１２−フィルタ部
１３−第二復調部
１４−テーブルデータ取得部
１５−記憶部
２１−VCT
２２−PMT
２３−選択チャンネルテーブル
３０−アンテナ
３１−スピーカ
３２−表示部
１０１−ディジタルテレビジョン
【図１】
2007006405.tif 000003
【図２】
2007006405.tif 000004
【図３】
2007006405.tif 000005
【図４】
2007006405.tif 000006
【図５】
2007006405.tif 000007